【手続補正書】
【提出日】平成20年1月18日(2008.1.18)
【手続補正１】
【補正対象書類名】明細書
【補正対象項目名】特許請求の範囲
【補正方法】変更
【補正の内容】
【特許請求の範囲】
【請求項１】  複数のノードを備え、それらのノード間に通信トラフィック保持放射を誘導するための光学的導波手段によりそれらノードが一緒に接続されている波長分割多重化（ＷＤＭ）光通信システムにおいて電力制御を行う方法であって、上記放射が、相互に異なる周波帯を有する複数のチャンネルへと波長分割多重化されるような方法において、第１ノードで電力調整手段を使用して上記通信トラフィック保持放射の電力を調整して光学的出力放射を発生し、該光学的出力放射を、上記導波手段を経てシステムの第２ノードへ送信し、該第２ノードで受け取られた放射の放射電力を測定して、対応する電力指示データを発生し、上記第２ノードで測定された光学的出力放射を所定の電力レベルへ調整するためのエラーデータを発生し、そしてそのエラーデータに応答して第１ノードで光学的出力放射の電力を制御することにより第２ノードで受信される放射電力を上記所定レベルに制御するという段階を備えた方法。
【請求項２】  上記電力指示データ及びエラーデータの少なくとも１つを上記第１ノードへ通信する段階を備えた請求項１に記載の方法。
【請求項３】  上記データをＷＤＭ監視チャンネルにおいて通信する段階を備えた請求項２に記載の方法。
【請求項４】  上記通信トラフィック保持放射に存在するアクティブな波長分割多重化チャンネルの数を決定する段階を備えた請求項１ないし３のいずれかに記載の方法。
【請求項５】  上記アクティブなチャンネルの数に応答して上記所定レベルを変更する段階を備えた請求項４に記載の方法。
【請求項６】  上記所定レベルを、実質的にアクティブなチャンネルの数の線形関数として変更して、アクティブなチャンネル当たりの放射電力が動作中に第２ノードにおいて実質的に一定に維持されるようにする段階を備えた請求項５に記載の方法。
【請求項７】  上記出力放射における１つ以上のチャンネルがアクティブであると決定されたときに電力レベルを実質的に一定値に維持する段階を備えた請求項４に記載の方法。
【請求項８】  アクティブであると決定されたチャンネルがないときに上記調整手段を−２０ｄＢより大きい減衰度にセットする段階を備えた請求項４ないし７のいずれかに記載の方法。
【請求項９】  アクティブなチャンネルの数を第２ノードへ通信する段階を備えた請求項４ないし８のいずれかに記載の方法。
【請求項１０】  アクティブなチャンネルの数を、通信トラフィックを保持するチャンネルに関連した監視チャンネルにおいて通信する段階を備えた請求項９に記載の方法。
【請求項１１】  上記調整手段は、各チャンネルの放射を独立して減衰することができ、そして更に、上記第２ノードで受け取られた各チャンネルに対する放射電力を測定し、そして上記第１ノードにおいて各チャンネルの減衰を独立して制御して、アクティブであるチャンネルに存在する放射電力を実質的に等化するという段階を備えた請求項１ないし１０のいずれかに記載の方法。
【請求項１２】  上記調整手段は、光学的増幅器によって形成され、その順方向利得は、その増幅器に送られる光学的ポンピング電力を変調するエラーデータにより制御できる請求項１ないし１１のいずれかに記載の方法。
【請求項１３】  複数のノード(20,40;310,330)を備え、それらのノード間に通信トラフィック保持放射を誘導するための光学的導波手段(60,70;350,360)によりそれらノードが一緒に接続されている波長分割多重化（ＷＤＭ）光通信システム(10;300)であって、上記放射が、相互に異なる周波帯を有する複数のチャンネルへと波長分割多重化されるような光通信システムにおいて、第１ノード(20,310)で上記通信トラフィック保持放射の放射電力を調整して、対応する出力放射を発生するための電力調整手段(120,420)と、第１ノードにあって、上記出力放射を、システムの第２ノード(40,330)へ伝播するために上記導波手段へ放出するための放出手段と、第２ノード(40,330)で受け取られた放射の放射電力を測定し、そして対応する電力指示データを発生するための放射電力測定手段(210,490)と、第２ノードで測定された光学的出力放射を所定レベルへ調整するためのエラーデータを発生し、そしてそのエラーデータに応答して光学的出力放射の電力を制御することにより第２ノードで受信される放射電力を所定レベルに制御するための制御手段(160,520)とを備えた光通信システム(10,300)。
【請求項１４】  上記エラーデータ及び電力指示データの少なくとも１つを第１ノード(20,40;310,330)へ通信するための手段(440,140)を備えた請求項１３に記載のシステム。
【請求項１５】  上記制御手段(160)は、第１ノード(20)に配置され、そして上記電力指示データは、第１ノード(310)へ通信される請求項１４に記載のシステム。
【請求項１６】  上記制御手段(520)は、第２ノード(330)に配置され、そして上記エラーデータは、第１ノード(310)へ通信される請求項１４に記載のシステム。
【請求項１７】  上記データは、ＷＤＭ監視チャンネルにおいて通信される請求項１４ないし１６のいずれかに記載のシステム。
【請求項１８】  上記第１ノード(20;310)は、上記通信トラフィック保持放射に存在するアクティブな波長分割多重化チャンネルの数を決定するための監視手段(150,450)を備えた請求項１３ないし１７のいずれかに記載のシステム。
【請求項１９】  上記アクティブなチャンネルの数に応答して所定レベルを変更する請求項１８に記載のシステム。
【請求項２０】  上記制御手段(160;520)は、上記所定のレベルを、実質的にアクティブなチャンネルの数の線形関数として変更して、アクティブなチャンネル当たりの放射電力が動作中に第２ノードにおいて実質的に一定に維持されるように動作できる請求項１９に記載のシステム。
【請求項２１】  上記制御手段(160;520)は、出力放射における１つ以上のチャンネルがアクティブであると決定されたときに上記所定の電力レベルを実質的に一定に維持するように動作できる請求項１８に記載のシステム。
【請求項２２】  上記制御手段(160;520)は、いずれのチャンネルもアクティブでないときに上記調整手段(120;420)を−２０ｄＢより大きい減衰度にセットするように動作できる請求項１８ないし２１のいずれかに記載のシステム。
【請求項２３】  上記制御手段(520)は、上記第２ノード(330)に配置され、そしてアクティブなチャンネルの数を上記第２ノード(330)へ通信するための手段(440)を更に備えた請求項１８ないし２２のいずれかに記載のシステム。
【請求項２４】  上記アクティブなチャンネルの数は、通信トラフィックを保持するチャンネルに関連したＷＤＭ監視チャンネルにおいて第２ノードへ通信される請求項２３に記載のシステム。
【請求項２５】  上記調整手段(120,420)は、各チャンネルに関連した放射の放射電力を独立して調整するように動作でき、そして上記監視手段(210,490)は、第２ノードで受け取られる各チャンネルの放射電力を監視するよう動作し、上記制御手段は、第１ノードにおいて各チャンネルの放射電力を個々に調整して、アクティブであるチャンネルの放射電力を実質的に相互に等化できるようにする請求項１３ないし２４のいずれかに記載のシステム。
【請求項２６】  上記アクティブなチャンネルは、その放射電力が６ｄＢ以内に相互に等化される請求項２５に記載のシステム。
【請求項２７】  前記第２ノードで受け取られた放射電力を測定する前記段階は、前記第１ノードからの前記第２ノードで受け取られた合計の放射電力を測定することを含み、
前記第２ノードで受け取られた放射電力を制御する前記段階は、前記第２ノードで受け取られた合計の放射電力を前記所定の電力レベルへ制御することを含む請求項１に記載の方法。
【請求項２８】  前記放射電力測定手段は、前記第２ノードで受け取られた合計の放射電力を測定し、
前記制御手段は、前記第２ノードで受け取られた合計の放射電力を前記所定の電力レベルへ制御するためのものである請求項１３に記載のシステム。